(57)【特許請求の範囲】
【請求項１】
就寝部（26）を含む所定の１の就寝空間（12）に調和空気を供給する複数の吹出口（45）と、
上記就寝空間（12）の空気を吸い込む複数の吸込口（54）と、
上記各吹出口（45）より吹き出す調和空気の空調能力を各吹出口（45）ごとに個別に制御する空調制御手段（14）とを備え、
上記吹出口（45）と吸込口（54）とは、対応して設けられ、複数の吹出口（45）及び複数の吸込口（54）が複数の流出入部（31〜33）を構成し、
上記複数の流出入部（31〜33）は、就寝者（11）の頭部に対応した頭側流出入部（31〜33）と、就寝者（11）の脚部に対応した脚側流出入部（31〜33）とを備え、
上記空調制御手段（14）は、上記頭側流出入部（31〜33）の吹出口（45）より吹き出す調和空気の温度が、脚側流出入部（31〜33）の吹出口（45）より吹き出す調和空気の温度より低くなるように空調能力を制御する
ことを特徴とする空気調和装置。
【請求項２】
カプセル本体（20）と、
該カプセル本体（20）内の１の睡眠室（12）に調和空気を供給する複数の吹出口（45）と、
上記睡眠室（12）の空気を吸い込む複数の吸込口（54）と、
上記各吹出口（45）より吹き出す調和空気の空調能力を各吹出口（45）ごとに個別に制御する空調制御手段（14）とを備え、
上記吹出口（45）と吸込口（54）とは、対応して設けられ、複数の吹出口（45）及び複数の吸込口（54）が複数の流出入部（31〜33）を構成し、
上記複数の流出入部（31〜33）は、就寝者（11）の頭部に対応した頭側流出入部（31〜33）と、就寝者（11）の脚部に対応した脚側流出入部（31〜33）とを備え、
上記空調制御手段（14）は、上記頭側流出入部（31〜33）の吹出口（45）より吹き出す調和空気の温度が、脚側流出入部（31〜33）の吹出口（45）より吹き出す調和空気の温度より低くなるように空調能力を制御する
ことを特徴とする睡眠カプセル。
【請求項３】
請求項２において、
上記各流出入部（31〜33）ごとに空調を行う複数の空調系統（30）が構成されている
ことを特徴とする睡眠カプセル。
【請求項４】
請求項２において、
上記全ての流出入部（31〜33）を包含して空調を行う１つの空調系統（30）が構成されている
ことを特徴とする睡眠カプセル。
【請求項５】
請求項２から４の何れか１項において、
上記吹出口（45）に接続された給気通路（44）には、空気と熱交換して調和空気を生成する熱交換部材（80）が設けられている
ことを特徴とする睡眠カプセル。
【請求項６】
請求項５において、
上記熱交換部材（80）は、熱電素子（81）を備えている
ことを特徴とする睡眠カプセル。
【請求項７】
請求項３において、
上記各空調系統（30）は、空調ファン（220）と排熱ファン（230）と熱交換部材（80）とを有し且つ１つのユニットに形成された調和ユニット（200）を備え、
該調和ユニット（200）は、空調ファン（220）が配置された空調通路（250）と、排熱ファン（230）が配置された排熱通路（251）とが区画形成されている
ことを特徴とする睡眠カプセル。
【請求項８】
請求項７において、
上記熱交換部材（80）は、熱電素子（81）を備え、
該熱電素子（81）の第１フィン群（82）が空調通路（250）に位置し、熱電素子（81）の第２フィン群（83）が排熱通路（251）に位置している
ことを特徴とする睡眠カプセル。
【請求項９】
請求項１において、
上記就寝部（26）は、就寝ベッド（26）であり、
上記就寝空間（12）は、就寝ベッド（26）の周りを区画する区画部材（22，…）で形成されている
ことを特徴とする空気調和装置。
【請求項１０】
請求項９において、
上記各流出入部（31〜33）ごとに空調を行う複数の空調系統（30）が構成されている
ことを特徴とする空気調和装置。
【請求項１１】
請求項９において、
上記全ての流出入部（31〜33）を包含して空調を行う１つの空調系統（30）が構成されている
ことを特徴とする空気調和装置。
【請求項１２】
請求項１及び請求項９から請求項１１の何れか１項において、
上記吹出口（45）に接続された給気通路（44）には、空気と熱交換して調和空気を生成する熱交換部材（80）が設けられている
ことを特徴とする空気調和装置。
【請求項１３】
請求項１２において、
上記熱交換部材（80）は、熱電素子（81）を備えている
ことを特徴とする空気調和装置。
【請求項１４】
請求項１０において、
上記各空調系統（30）は、空調ファン（220）と排熱ファン（230）と熱交換部材（80）とを有し且つ１つのユニットに形成された調和ユニット（200）を備え、
該調和ユニット（200）は、空調ファン（220）が配置された空調通路（250）と、排熱ファン（230）が配置された排熱通路（251）とが区画形成されている
ことを特徴とする空気調和装置。
【請求項１５】
請求項１４において、
上記熱交換部材（80）は、熱電素子（81）を備え、
該熱電素子（81）の第１フィン群（82）が空調通路（250）に位置し、熱電素子（81）の第２フィン群（83）が排熱通路（251）に位置している
ことを特徴とする空気調和装置。
【発明の詳細な説明】
【０００１】
【発明の属する技術分野】
本発明は、空気調和装置及び睡眠カプセルに関し、特に、就寝空間における空調対策に係るものである。
【０００２】
【従来の技術】
従来より、睡眠カプセルなどの空気調和は、実開平４−１００５４５号公報に開示されているように、空気の吹出口と吸込口がカプセル本体の睡眠室に開口して形成されているものがある。上記睡眠カプセルは、吸込口と吹出口とを繋ぐ空気通路の途中に蒸発器を設置し、該蒸発器で冷却された空気を睡眠室に吹き出すように構成されているものがある。
【０００３】
【発明が解決しようとする課題】
上述したように、従来の睡眠カプセルなどの空気調和においは、就寝者の足下から１つの吸込口より室内空気を吸い込み、冷却した後、調和空気を就寝者の足下から１つの吹出口から睡眠室に吹き出すようにしている。そして、上記睡眠カプセルは、就寝者が希望する設定温度に睡眠室全体が均一になるように空調している。
【０００４】
しかしながら、上記睡眠カプセル等では、人体の温熱生理的な快適性に適していないという問題があった。つまり、人体の部位別の至適温度を考察すると、頭部が最も低く、脚部にいくに従って漸次高くなる。つまり、「頭寒足熱」の温度分布が人体の温熱生理的な快適性に適している。
【０００５】
従来の睡眠カプセル等の空調制御は、単に睡眠室の全体が設定温度になるように制御しているのみであり、就寝者の快適性に欠けていた。
【０００６】
本発明は、斯かる点に鑑みて成されたもので、カプセル本体の睡眠室を就寝者の温熱生理的な快適性に適した空調状態に制御することを目的とするものである。
【０００７】
【課題を解決するための手段】
第１の発明は、空気調和装置であって、先ず、就寝部（26）を含む所定の１の就寝空間（12）に調和空気を供給する複数の吹出口（45）と、上記就寝空間（12）の空気を吸い込む複数の吸込口（54）と、上記各吹出口（45）より吹き出す調和空気の空調能力を各吹出口（45）ごとに個別に制御する空調制御手段（14）とを備えている。上記吹出口（45）と吸込口（54）とは、対応して設けられ、複数の吹出口（45）及び複数の吸込口（54）が複数の流出入部（31〜33）を構成している。そして、上記複数の流出入部（31〜33）は、就寝者（11）の頭部に対応した頭側流出入部（31〜33）と、就寝者（11）の脚部に対応した脚側流出入部（31〜33）とを備えている。加えて、上記空調制御手段（14）は、上記頭側流出入部（31〜33）の吹出口（45）より吹き出す調和空気の温度が、脚側流出入部（31〜33）の吹出口（45）より吹き出す調和空気の温度より低くなるように空調能力を制御する。
【０００８】
また、第２の発明は、睡眠カプセルであって、先ず、カプセル本体（20）と、該カプセル本体（20）内の１の睡眠室（12）に調和空気を供給する複数の吹出口（45）と、上記睡眠室（12）の空気を吸い込む複数の吸込口（54）と、上記各吹出口（45）より吹き出す調和空気の空調能力を各吹出口（45）ごとに個別に制御する空調制御手段（14）とを備えている。上記吹出口（45）と吸込口（54）とは、対応して設けられ、複数の吹出口（45）及び複数の吸込口（54）が複数の流出入部（31〜33）を構成している。そして、上記複数の流出入部（31〜33）は、就寝者（11）の頭部に対応した頭側流出入部（31〜33）と、就寝者（11）の脚部に対応した脚側流出入部（31〜33）とを備えている。加えて、上記空調制御手段（14）は、上記頭側流出入部（31〜33）の吹出口（45）より吹き出す調和空気の温度が、脚側流出入部（31〜33）の吹出口（45）より吹き出す調和空気の温度より低くなるように空調能力を制御する。
【０００９】
また、第３の発明は、第２の発明において、上記各流出入部（31〜33）ごとに空調を行う複数の空調系統（30）が構成されたものである。
【００１０】
また、第４の発明は、第２の発明において、上記全ての流出入部（31〜33）を包含して空調を行う１つの空調系統（30）が構成されたものである。
【００１１】
また、第５の発明は、第２の発明〜第４の発明の何れかにおいて、上記吹出口（45）に接続された給気通路（44）に、空気と熱交換して調和空気を生成する熱交換部材（80）が設けられた構成としている。
【００１２】
また、第６の発明は、第５の発明において、熱交換部材（80）が熱電素子（81）を備えた構成としている。
【００１３】
また、第７の発明は、第３の発明において、各空調系統（30）が、空調ファン（220）と排熱ファン（230）と熱交換部材（80）とを有し且つ１つのユニットに形成された調和ユニット（200）を備えた構成としている。そして、該調和ユニット（200）は、空調ファン（220）が配置された空調通路（250）と、排熱ファン（230）が配置された排熱通路（251）とが区画形成されている。
【００１４】
また、第８の発明は、第７の発明において、熱交換部材（80）が熱電素子（81）を備えた構成としている。そして、該熱電素子（81）の第１フィン群（82）が空調通路（250）に位置し、熱電素子（81）の第２フィン群（83）が排熱通路（251）に位置している。
【００１５】
また、第９の発明は、第１の発明において、上記就寝部（26）は、上記就寝ベッド（26）であり、就寝空間（12）は、就寝ベッド（26）の周りを区画する区画部材（22，…）で形成された構成としている。
【００１６】
また、第１０の発明は、第９の発明において、上記各流出入部（31〜33）ごとに空調を行う複数の空調系統（30）が構成されたものである。
【００１７】
また、第１１の発明は、第９の発明において、上記全ての流出入部（31〜33）を包含して空調を行う１つの空調系統（30）が構成されたものである。
【００１８】
また、第１２の発明は、第１の発明及び第９から第１１の発明の何れかにおいて、上記吹出口（45）に接続された給気通路（44）には、空気と熱交換して調和空気を生成する熱交換部材（80）が設けられた構成としている。
【００１９】
また、第１３の発明は、第１２の発明において、上記熱交換部材（80）が熱電素子（81）を備えた構成としている。
【００２０】
また、第１４の発明は、第１０の発明において、上記各空調系統（30）が、空調ファン（220）と排熱ファン（230）と熱交換部材（80）とを有し且つ１つのユニットに形成された調和ユニット（200）を備えた構成としている。そして、該調和ユニット（200）は、空調ファン（220）が配置された空調通路（250）と、排熱ファン（230）が配置された排熱通路（251）とが区画形成されている。
【００２１】
また、第１５の発明は、第１４の発明において、上記熱交換部材（80）が熱電素子（81）を備えた構成としている。そして、該熱電素子（81）の第１フィン群（82）が空調通路（250）に位置し、熱電素子（81）の第２フィン群（83）が排熱通路（251）に位置している。
【００２２】
すなわち、本発明では、各吹出口（45）より吹き出す調和空気の空調能力、例えば、温度を個別に制御し、人体の温熱生理的な快適性に適した睡眠室（12）を形成する。
【００２３】
具体的に、就寝者（11）が睡眠室（12）で就寝する際、頭側の吹出口（45）から吹き出る調和空気は、就寝者（11）の頭部に吹き出し、脚側の吹出口（45）から吹き出る調和空気は、就寝者（11）の脚部に吹き出す。
【００２４】
その際、空調制御手段（14）が空調系統（30）を制御する。例えば、給気通路（44）を流れる空気が熱交換部材（80）によって加熱又は冷却されるが、その際、脚側に吹き出る調和空気は、熱交換部材（80）の熱電素子（81）によって設定温度より２．０℃だけ高く調節される。また、頭側に吹き出る調和空気は、熱交換部材（80）の熱電素子（81）によって設定温度より２．０℃だけ低く調節される。
【００２５】
この結果、上記就寝者（11）は、「頭寒足熱」の温度分布の基で就寝することになる。
【００２６】
【発明の効果】
したがって、本発明によれば、各吹出口（45）より吹き出す調和空気の空調能力を個別に制御するようにしたために、人体の温熱生理的な快適性に適した睡眠室（12）を形成することができる。
【００２７】
つまり、人体の部位別の至適温度に基づき、頭部が最も低く、脚部にいくに従って漸次高くなる「頭寒足熱」の温度分布に就寝者（11）を維持することができる。この結果、就寝者（11）の快適性の向上を図ることができる。
【００２８】
また、１つの空調系統（30）を構成するようにすると、構成の簡略化を図ることができる。
【００２９】
また、複数の空調系統（30）を設けるようにすると、「頭寒足熱」の温度分布を正確に且つ確実に実現することができる。
【００３０】
また、第７及び第１４の発明では、各空調系統（30）が空調ファン（220）と排熱ファン（230）と熱交換部材（80）とを有する調和ユニット（200）を備えるようにしたので、配管系統の簡素化を図ることができる。この結果、装置全体と据付性を向上させることができる。
【００３１】
【発明の実施の形態１】
以下、本発明の実施形態１を図面に基づいて詳細に説明する。
【００３２】
図１及び図２に示すように、睡眠カプセル（10）は、仮眠等を行うためのもので、就寝者（11）が就寝し得る比較的小空間の密閉空間を構成している。
【００３３】
上記睡眠カプセル（10）は、カプセル本体（20）に１つの空調系統（30）が設けられて構成されている。該カプセル本体（20）は、床台（21）と天井（22）と該床台（21）及び天井（22）の間に設けらた左右の側壁（23）、頭側の前壁（24）及び脚側の扉（25）とより構成されている。そして、上記カプセル本体（20）の内部が就寝空間である睡眠室（12）に構成され、上記床台（21）の上部が就寝者（11）の就寝部である睡眠用ベッド（26）に形成されている。つまり、上記天井（22）と側壁（23）と前壁（24）と扉（25）とが就寝空間である睡眠室（12）の区画部材を構成している。
【００３４】
上記空調系統（30）は、３箇所吹出方式に構成され、睡眠室（12）を冷暖房するように構成されている。該空調系統（30）は、図３〜図１１に示すように、調和空気を睡眠室（12）に供給する給気系部（40）と、睡眠室（12）の室内空気を吸引する還気系部（50）と、外気を取り入れる外気系部（60）と、排熱を放出する排熱系部（70）とより構成されている。そして、上記給気系部（40）は、空調ファンユニット（41）を備え、上記排熱系部（70）は、排熱ファンユニット（71）を備えている。
【００３５】
尚、図３〜図７は、空調ファンユニット（41）と排熱ファンユニット（71）とを取り付けた状態を示し、図８〜図１１は、空調ファンユニット（41）と排熱ファンユニット（71）とを省略した状態を示している。
【００３６】
上記給気系部（40）は、空調ファンユニット（41）とメインダクト（42）と３つの分岐ダクト（43）とを備えている。
【００３７】
上記空調ファンユニット（41）は、床台（21）の内部の機械室（27）に設置され、矩形体のケース（41a）と遠心ファンである空調ファン（41b）とを備えている。そして、該ケース（41a）の内部が仕切板（41c）によって上下に区画され、該ケース（41a）の上部空間に上記空調ファン（41b）が収納されている。上記ケース（41a）の上部空間には、メインダクト（42）が接続される一方、下部空間には、還気系部（50）と外気系部（60）とが接続されている。
【００３８】
上記メインダクト（42）は、機械室（27）に設置され、ベッド（26）の長手方向に沿って延び、３つの開口が形成されている。該開口には、分岐ダクト（43）が接続されている。そして、上記空調ファンユニット（41）の下部空間から、上部空間及びメインダクト（42）を経てに分岐ダクト（43）に亘って給気通路（44）が構成されている。
【００３９】
上記分岐ダクト（43）は、給気通路（44）を３つに分岐し、側壁（23）に沿って上方に延びる垂直部（43a）と、該垂直部（43a）の上端から天井（22）に沿って水平に延びる水平部（43b）とより構成されている。上記水平部（43b）の端部には、吹出口（45）が形成されている。該吹出口（45）は、天井（22）側からベッド（26）の方向に調和空気を吹き出すように構成されている。
【００４０】
上記還気系部（50）は、メインダクト（51）と３つの分岐ダクト（52）とを備えている。上記メインダクト（51）は、機械室（27）に設置され、給気系部（40）のメインダクト（42）の下方に配置され、ベッド（26）の長手方向に沿って延びている。該還気系部（50）のメインダクト（51）は、還気通路（53）を構成し、空調ファンユニット（41）におけるケース（41a）の下部空間に接続され、３つの開口が形成されている。該開口には、上記分岐ダクト（52）が接続されている。
【００４１】
上記還気系部（50）の分岐ダクト（52）は、還気通路（53）を３つに分岐し、側壁（23）に沿って上方に延び、上端がベッド（26）の側部に開口して吸込口（54）に形成されている。そして、該吸込口（54）は、睡眠室（12）の室内空気を吸い込むように構成されている。
【００４２】
また、上記３つの吹出口（45）と３つの吸込口（54）は、それぞれ対応し、３つの空気の流出入部（31〜33）を構成している。つまり、３つの吹出口（45）と３つの吸込口（54）は、頭側流出入部（31）と中央流出入部（32）と脚側流出入部（33）とを構成している。
【００４３】
該頭側流出入部（31）は、吹出口（45）と吸込口（54）とがベッド（26）の前側である頭側に配置されて就寝者（11）の頭部の空調を行うように構成されている。
【００４４】
上記中央流出入部（32）は、吹出口（45）と吸込口（54）とがベッド（26）の中央部に設けられて就寝者（11）の胴部の空調を行うように構成されている。
【００４５】
上記脚側流出入部（33）は、吹出口（45）と吸込口（54）とがベッド（26）の後側である脚側に設けられて就寝者（11）の脚部の空調を行うように構成されている。
【００４６】
一方、上記給気系部（40）の分岐ダクト（43）の下部には、熱交換部材（80）が配置されている。該熱交換部材（80）は、いわゆるペルチェ素子である熱電素子（81）を備えている。該熱電素子（81）は、２つの熱面が加熱面と冷却面となり、各熱面に多数のフィンが設けられて第１フィン群（82）と第２フィン群（83）とが構成されている。そして、上記第１フィン群（82）が給気通路（44）に配置され、上記第２フィン群（83）は、排熱系部（70）に配置されている。
【００４７】
上記排熱系部（70）は、排熱ファンユニット（71）とメインダクト（72）と３つの分岐ダクト（73）とを備えている。
【００４８】
上記排熱ファンユニット（71）は、床台（21）の内部の機械室（27）に設置され、矩形体のケース（71a）と遠心ファンである排熱ファン（71b）とを備えている。そして、該ケース（71a）の内部が仕切板（71c）によって上下に区画され、該ケース（71a）の下部空間に上記排熱ファン（71b）が収納されている。上記ケース（71a）の上部空間には、メインダクト（72）が接続される一方、下部空間には、排熱口（74）が形成されている。
【００４９】
上記排熱系部（70）のメインダクト（72）は、機械室（27）に設置され、給気系部（40）のメインダクト（42）の上方に配置され、ベッド（26）の長手方向に沿って延びている。該排熱系部（70）のメインダクト（72）は、排熱ファンユニット（71）におけるケース（71a）の上部空間に接続され、３つの開口が形成されている。該開口には、分岐ダクト（73）が接続されている。そして、上記分岐ダクト（73）からメインダクト（72）及び排熱ファンユニット（71）の上部空間を経て下部空間に亘って排熱通路（75）が構成されている。
【００５０】
上記排熱系部（70）の分岐ダクト（73）は、排熱通路（75）を３つに分岐し、ベッド（26）の側方に延び、熱交換部材（80）に連続している。そして、上記分岐ダクト（73）には、熱交換部材（80）の第２フィン群（83）が配置され、加熱空気又は冷却空気を排気するように構成されている。
【００５１】
上記還気系部（50）の分岐ダクト（53）には、温度センサ（13）が配置されている。該温度センサ（13）は、分岐ダクト（53）を通る室内空気の温度を検出する温度検出手段を構成している。そして、該温度センサ（13）の検出信号は、コントローラ（14）に入力されている。該コントローラ（14）は、操作ボックス（15）で設定された設定温度が入力され、３つの各吹出口（45）より吹き出す調和空気の温度をそれぞれ個別に制御するように構成されている。
【００５２】
上記コントローラ（14）は、空調制御手段を構成し、先ず、中央流出入部（32）の吹出口（45）から吹き出る調和空気の温度が設定温度ＳＴになるように熱電素子（81）を制御する。つまり、上記コントローラ（14）は、中央流出入部（32）に連続する中央の給気通路（44）の熱電素子（81）を制御し、該中央の給気通路（44）を通る空気を設定温度ＳＴに調節する。
【００５３】
また、上記コントローラ（14）は、頭側流出入部（31）の吹出口（45）から吹き出る調和空気の温度が設定温度ＳＴより２．０℃だけ低く（ＳＴ−２．０℃）なるように熱電素子（81）を制御する。つまり、上記コントローラ（14）は、頭側流出入部（31）に連続する頭側の給気通路（44）の熱電素子（81）を制御し、該頭側の給気通路（44）を通る空気を設定温度ＳＴより２．０℃だけ低く調節する。
【００５４】
一方、上記コントローラ（14）は、脚側流出入部（33）の吹出口（45）から吹き出る調和空気の温度が設定温度ＳＴより２．０℃だけ高く（ＳＴ＋２．０℃）なるように熱電素子（81）を制御する。つまり、上記コントローラ（14）は、脚側流出入部（33）に連続する脚側の給気通路（44）の熱電素子（81）を制御し、該脚側の給気通路（44）を通る空気を設定温度ＳＴより２．０℃だけ高く調節する。
【００５５】
尚、上記給気系部（40）の分岐ダクト（43）には、断熱材（34）が取り付けられている。
【００５６】
また、上記給気系部（40）の分岐ダクト（43）の下部及び排熱系部（70）の分岐ダクト（73）の下部には、熱交換部材（80）より滴下するドレンを受けるドレン受け（35）が設けられている。一方、上記排熱ファンユニット（71）における排熱口（74）の下部には、ドレン蒸発部（36）が形成されている。該ドレン蒸発部（36）は、上記各ドレン受け（35）のドレンが集められ、排出空気と共にドレンを蒸発させて処理するように構成されている。上記ドレン蒸発部（36）の下部には、ドレンを加熱して蒸発させるための蒸発用ヒータ（37）が設けられている。
【００５７】
また、上記床台（21）の側面には、空気口（28）が形成されている。該空気口（28）は、外気の取入れと、排出空気の放出とを行うように構成されている。
【００５８】
また、上記カプセル本体（20）の前壁（24）には、換気口（16）が形成されている。
【００５９】
また、上記外気系部（60）には、風量調節用のダンパ（61）が設けられている。
【００６０】
ここで、上記コントローラ（14）が頭側の調和空気の温度を脚側の調和空気の温度より低くするようにした理由について説明する。
【００６１】
図１２は、人体の部位別の至適温度を示している。この図１２は、人が椅子に座った状態を示しており、至適温度は、頭部の温度が最も低く、脚部にいくに従って漸次高くなる。したがって、人体の温度分布は、いわゆる「頭寒足熱」が好ましく、この温度分布が人体の温熱生理的な快適性に適している。
【００６２】
このことから、上記コントローラ（14）は、頭側の調和空気の温度が設定温度ＳＴより２．０℃だけ低く制御し、脚側の調和空気の温度が設定温度ＳＴより２．０℃だけ高く制御している。
【００６３】
〈作用〉
次に、上述した睡眠カプセル（10）の空調動作について説明する。
【００６４】
睡眠用ベッド（26）には、仮眠等を行う就寝者（11）が扉（25）より睡眠室（12）に入って就寝する。そして、この就寝者（11）は、操作ボックス（15）で設定温度ＳＴを設定する。この設定温度ＳＴは、コントローラ（14）に入力される。
【００６５】
一方、空調ファン（41b）を駆動すると、空調ファンユニット（41）から流出した空気は、給気系部（40）のメインダクト（42）を通り、３つの分岐ダクト（43）に分流する。各分岐ダクト（43）を通る空気は、熱交換部材（80）の第１フィン群（82）を通り、加熱又は冷却されて調和空気が生成される。つまり、熱電素子（81）は、加熱面と冷却面とが形成されるので、暖房運転時は第１フィン群（82）が加熱され、第２フィン群（83）が冷却される。冷房運転時は第１フィン群（82）が冷却され、第２フィン群（83）が加熱される。
【００６６】
この各調和空気は、分岐ダクト（43）を流れ、吹出口（45）から睡眠室（12）に吹き出す。つまり、頭側流出入部（31）の吹出口（45）から吹き出る調和空気は、就寝者（11）の頭部に吹き出し、中央流出入部（32）の吹出口（45）から吹き出る調和空気は、就寝者（11）の胴部に吹き出し、脚側流出入部（33）の吹出口（45）から吹き出る調和空気は、就寝者（11）の脚部に吹き出す。
【００６７】
その際、上記コントローラ（14）は、設定温度ＳＴを基に調和空気の温度を制御する。
【００６８】
具体的に、中央流出入部（32）から吹き出る調和空気は、熱交換部材（80）の熱電素子（81）によって設定温度ＳＴに調節される。一方、脚側流出入部（33）から吹き出る調和空気は、熱交換部材（80）の熱電素子（81）によって設定温度ＳＴより２．０℃だけ高く調節される。また、頭側流出入部（31）から吹き出る調和空気は、熱交換部材（80）の熱電素子（81）によって設定温度ＳＴより２．０℃だけ低く調節される。
【００６９】
この結果、上記就寝者（11）は、「頭寒足熱」の温度分布の基で就寝することになる。
【００７０】
上記頭側流出入部（31）から吹き出た調和空気は、該頭側流出入部（31）の吸込口（54）から還気系部（50）の分岐ダクト（52）を流れ、中央流出入部（32）から吹き出た調和空気は、該中央流出入部（32）の吸込口（54）から還気系部（50）の分岐ダクト（52）を流れ、脚側流出入部（33）から吹き出た調和空気は、該脚側流出入部（33）の吸込口（54）から還気系部（50）の分岐ダクト（52）を流れる。その後、メインダクト（51）を経て空調ファンユニット（41）に戻り、上述の動作が繰り返される。
【００７１】
また、上記空調ファンユニット（41）には、外気系部（60）から外気が導入され、還気系部（50）の空気と共に給気系部（40）に流れる。
【００７２】
一方、排熱ファン（71b）を駆動し、熱電素子（81）から発生する温熱又は冷熱を外部に放出する。つまり、第２フィン群（83）の温熱又は冷熱は、分岐ダクト（73）を経てメインダクト（72）を通り、排熱ファンユニット（71）からカプセル本体（20）の外部に放出される。
【００７３】
〈実施形態１の効果〉
以上のように、本実施形態によれば、各吹出口（45）より吹き出す調和空気の温度を個別に制御するようにしたために、人体の温熱生理的な快適性に適した睡眠室（12）を形成することができる。
【００７４】
つまり、人体の部位別の至適温度に基づき、頭部が最も低く、脚部にいくに従って漸次高くなる「頭寒足熱」の温度分布に就寝者（11）を維持することができる。この結果、就寝者（11）の快適性の向上を図ることができる。
【００７５】
また、１つの空調系統（30）を構成するようにしたために、構成の簡略化を図ることができる。
【００７６】
【発明の実施の形態２】
次に、本発明の実施形態２を図面に基づいて詳細に説明する。
【００７７】
図１３に示すように、本実施形態は、実施形態１が１つの空調系統（30）を構成するようにしたのに代えて、３つの空調系統（30）を設けるようにしたものである。
【００７８】
つまり、本実施形態は、実施形態１の頭側流出入部（31）と中央流出入部（32）と脚側流出入部（33）ごとに個別の空調系統（30）を構成するようにしたものである。したがって、本実施形態は、就寝者（11）の頭側を空調する頭側の空調系統（30）と、就寝者（11）の胴部を空調する中央の空調系統（30）と、就寝者（11）の脚側を空調する脚側の空調系統（30）とが設けられている。
【００７９】
上記各空調系統（30）は、１つの給気通路（44）と１つの還気通路（54）とを備えている。該給気通路（44）は、空調ファン（41b）と熱交換部材（80）とが配置され、流出入部（31〜33）の吹出口（45）に接続されている。上記還気通路（54）は、温度センサ（13）が配置され、流出入部（31〜33）の吸込口（54）に接続されている。また、上記給気通路（44）には、外気系部（60）が接続されている。更に、上記熱交換部材（80）には、図示しないが、排熱通路（75）が接続されている。
【００８０】
したがって、本実施形態では、各空調系統（30）が個別に空調ファン（41b）及び熱交換部材（80）の熱電素子（81）と排熱ファン（71b）とを駆動制御するので、「頭寒足熱」の温度分布を正確に且つ確実に実現することができる。その他の構成、作用及び効果は実施形態１と同様である。
【００８１】
【発明の実施の形態３】
次に、本発明の実施形態３を図面に基づいて詳細に説明する。
【００８２】
図１４に示すように、本実施形態は、実施形態１の分岐ダクトを省略したものである。
【００８３】
つまり、就寝ベッド（26）の側部には、頭部側（前端）から吹出口（45）、吸込口（54）、吹出口（45）、吸込口（54）、吹出口（45）及び吸込口（54）が順に形成されている。そして、前部側の吹出口（45）及び吸込口（54）が頭側流出入部（31）を構成し、中央部の吹出口（45）及び吸込口（54）が中央流出入部（32）を構成し、後部側の吹出口（45）及び吸込口（54）が脚側流出入部（33）を構成している。
【００８４】
特に、本実施形態では、上記各吹出口（45）及び各吸込口（54）は、ベッド（26）の上面と同一高さに形成されている。
【００８５】
また、図１５に示すように、上記頭側流出入部（31）の吹出口（45）は、図示しないが、グリルなどが設けられて、空調空気を前方上方に斜めに吹き出すように構成されている。一方、上記脚側流出入部（33）の吹出口（45）は、図示しないが、グリルなどが設けられて、空調空気を後方上方に斜めに吹き出すように構成されている。
【００８６】
そして、コントローラ（14）は、図１７に示すように、例えば、中央の給気通路（44）の熱電素子（81）を制御し、中央流出入部（32）の吹出口（45）から吹き出る調和空気の温度を２５℃に制御する。
【００８７】
また、上記コントローラ（14）は、頭側の給気通路（44）の熱電素子（81）を制御し、頭側流出入部（31）の吹出口（45）から吹き出る調和空気の温度を２３℃に制御する。
【００８８】
一方、上記コントローラ（14）は、脚側の給気通路（44）の熱電素子（81）を制御し、脚側流出入部（33）の吹出口（45）から吹き出る調和空気の温度を３５℃に制御する。
【００８９】
そして、上記頭側流出入部（31）の吹出口（45）の調和空気は、前方上方に向かって斜めに吹き出し、中央流出入部（32）の吹出口（45）の調和空気は、ほぼ上方に向かって吹き出し、脚側流出入部（33）の吹出口（45）の空調空気は、後方上方に向かって斜めに吹き出す。また、上記睡眠室（12）の室内空気は、各吸込口（54）より吸い込まれる。
【００９０】
この結果、図１６に示すように、睡眠室（12）における頭側Ａと中央部Ｂと脚側Ｃの室内温度は、図１６に示すようになり、「頭寒足熱」の温度分布が形成されることになる。
【００９１】
したがって、本実施形態によれば、ベッド（26）の上方の空間を広く確保することができるので、就寝者（11）に対する空間的な圧迫感を排除することができる。その他の構成、作用及び効果は、上記実施形態１又は実施形態２と同様である。また、上記各吹出口（45）及び各吸込口（54）は、ベッド（26）の上面と同一高さに限られず、やや上方に突出していもよいことは勿論である。
【００９２】
【発明の実施の形態４】
次に、本発明の実施形態４を図面に基づいて詳細に説明する。
【００９３】
図１８に示すように、本実施形態は、実施形態４におけるカプセル本体（20）の天井（22）、側壁（23）、前壁（24）及び扉（25）をカーテン（2a）で構成するようにしたものである。つまり、就寝空間である睡眠室（12）の区画部材がカーテン（2a）で構成されている。
【００９４】
具体的に、床台（21）の４隅には、垂直フレーム（2b）が取り付けられ、該垂直フレーム（2b）の上端の間には、水平フレーム（2c）が取り付けられている。そして、上記水平フレーム（2c）には、天井用のカーテン（2a）が設けられ、各垂直フレーム（2b）の間には、側面のカーテン（2a）が設けられている。この各カーテン（2a）によって就寝空間である睡眠室（12）が形成されている。その他の構成及び作用は、実施形態３と同様である。
【００９５】
したがって、本実施形態によれば、住宅寝室向けの天蓋付きベッドを構成することができるので、住宅寝室空間において「頭寒足熱」を実現することができる。
【００９６】
尚、本実施形態は、実施形態３におけるカプセル本体（20）の天井（22）、側壁（23）、前壁（24）及び扉（25）の何れか１つのみを上記カーテン（2a）で構成するものであってもよい。また、上記カーテン（2a）は、垂直フレーム（2b）及び水平フレーム（2c）を設けることなく、部屋の天井から吊す布などのおおいであってもよく、要するに、就寝部であるベッド（26）を覆うものであればよい。
【００９７】
【発明の実施の形態５】
次に、本発明の実施形態５を図面に基づいて詳細に説明する。尚、本実施形態５以降は、就寝のための空気調和装置（100）を示したものである。
【００９８】
つまり、本実施形態の空気調和装置（100）は、図１９に示すように、ベッド状の直方体に形成されている。そして、空気調和装置（100）の本体（110）を兼用するベッド（26）の１側部には、３つの流出入部（31，32，33）が形成されている。
【００９９】
この結果、本実施形態の空気調和装置（100）は、実施形態３と同様に、３つの流出入部（31，32，33）がベッド（26）の上面Ｌと同一高さに配置されている。
【０１００】
また、本実施形態では、図２０に示すように、ベッド（26）の側部に短い突出部（120）を形成し、この突出部（120）の上面に３つの吹出口（45）と３つの吸込口（54）とを形成してもよく、また、上記突出部（120）の内側側面（斜線部分）に３つの吹出口（45）と３つの吸込口（54）とを形成してもよい。その際、上記外気を取り入れる空気口（28）は、ベッド（26）の何れの側面に形成してもよい。この突出部（120）を形成すると、吹出口（45）や吸込口（54）が寝具で塞がれることを防止することができる。
【０１０１】
また、空調系統（30）は、実施形態１の図２及び実施形態２の図１３とほぼ同様であり、図２１は、図２に対応し、１つの空調系統（30）で構成されたものである。但し、図２の分岐ダクト（43）は形成されていない。また、図２２は、図１３に対応し、３つの空調系統（30）で構成されたものである。但し、図１３の分岐ダクト（43）は形成されていない。尚、図２１及び図２２において、還気系部（50）には、還気ダンパ（55）が設けられている。
【０１０２】
その他の構成、作用及び効果は、上記実施形態３又は上記実施形態４と同様である。尚、図１９及び図２０は、側壁（23）等を省略している。
【０１０３】
【発明の実施の形態６】
次に、本発明の実施形態６を図面に基づいて詳細に説明する。
【０１０４】
図２３に示すように、本実施形態の空気調和装置（100）は、ベッド（26）の側部に配置されている。
【０１０５】
つまり、本実施形態の空気調和装置（100）は、ベッド（26）に対応して前後に長い直方体の本体（110）を備えている。そして、図２４に示すように、本体（110）の上面に３つの吹出口（45）が形成され、外側の側面に空気口（28）が形成される一方、吸込口（54）が設けられていない。
【０１０６】
尚、上記吹出口（45）は、ベッド（26）の上面Ｌと同一高さに配置されている。また、上記本体（110）の内部には、熱交換部材（80）及び空調ファン（41b）等が配置されている。
【０１０７】
また、本実施形態では、図２５に示すように、本体（110）がベッド（26）の上面Ｌより突出する高さに形成してもよい（図２４一点鎖線参照）。そして、この突出した本体（110）の上面に３つの吹出口（45）を形成してもよい。
【０１０８】
尚、上記空気口（28）は、本体（110）の前面又は後面（図２３及び図２５Ｘ矢符参照）に形成してもよい。また、図２６に示すように、３つの吹出口（45）は、突出した本体（110）のベッド（26）側の側面（図２５Ｙ矢符参照）に形成されていてもよい。その他の構成、作用及び効果は、上記実施形態５と同様である。尚、図２３及び図２５は、側壁（23）等を省略している。
【０１０９】
【発明の実施の形態７】
次に、本発明の実施形態７を図面に基づいて詳細に説明する。
【０１１０】
図２７及び図２８に示すように、本実施形態の空気調和装置（100）は、吹出口（45）を本体（110）の内側の側面に形成したものである。
【０１１１】
つまり、本実施形態では、本体（110）がベッド（26）の上面Ｌより突出する高さに形成されている。そして、この突出した本体（110）のベッド（26）側の側面に３つの吹出口（45）が形成され、空調空気を就寝者（11）に向かって吹き出すことになる。更に、上記本体（110）の上面には、空気口（28）が形成されている。
【０１１２】
尚、上記空気口（28）は、本体（110）の前面又は後面（図２７Ｙ矢符参照）に形成してもよく、また、本体（110）の外側の側面（図２７Ｘ矢符参照）に形成してもよい。その他の構成、作用及び効果は、上記実施形態５と同様である。尚、図２７は、側壁（23）等を省略している。
【０１１３】
【発明の実施の形態８】
次に、本発明の実施形態８を図面に基づいて詳細に説明する。
【０１１４】
図２９及び図３０に示すように、本実施形態の空気調和装置（100）は、ベッド（26）と異なり、布団等の和式の就寝部（26a）を構成するようにしたものである。
【０１１５】
つまり、本実施形態では、実施形態７のベッド（26）に代わって就寝部（26a）が形成されたものである。この就寝部（26a）の側部に空気調和装置（100）の本体（110）が配置されている。上記本体（110）の上面には、３つの吹出口（45）が形成され、本体（110）の外側の側面には、空気口（28）が形成されている。
【０１１６】
尚、上記空気口（28）は、本体（110）の前面又は後面（図２９Ｘ矢符参照）に形成してもよい。その他の構成、作用及び効果は、上記実施形態７と同様である。尚、図２９は、就寝空間を仕切るカーテン（2a）等を省略している。
【０１１７】
【発明の実施の形態９】
次に、本発明の実施形態９を図面に基づいて詳細に説明する。
【０１１８】
図３１及び図３２に示すように、本実施形態の空気調和装置（100）は、実施形態８の吹出口（45）に代えて、吹出口（45）を本体（110）の内側の側面に形成したものである。
【０１１９】
つまり、本実施形態では、本体（110）が就寝部（26a）の上面Ｌより突出しているので、本体（110）の就寝部（26a）側の側面に３つの吹出口（45）が形成され、空調空気を就寝者（11）に向かって吹き出すことになる。更に、上記本体（110）の上面には、空気口（28）が形成されている。
【０１２０】
尚、上記空気口（28）は、本体（110）の前面又は後面（図３１Ｙ矢符参照）に形成してもよく、また、本体（110）の外側の側面（図３１Ｘ矢符参照）に形成してもよい。その他の構成、作用及び効果は、上記実施形態５と同様である。尚、図３１は、就寝空間を仕切るカーテン（2a）等を省略している。
【０１２１】
【発明の実施の形態１０】
次に、本発明の実施形態１０を図面に基づいて詳細に説明する。
【０１２２】
本実施形態は、図３３に示すように、実施形態５がベッド（26）の１側部に流出入部（31，32，33）を形成したのに代えて、本体（110）におけるベッド（26）の１側部に吹出口（45）を、他側部に吸込口（54）を形成したものである。
【０１２３】
そして、上記吹出口（45）及び吸込口（54）は、ベッド（26）の上面Ｌと同一高さに配置されている。更に、ベッド（26）の前面には、空気口（28）が形成されている。
【０１２４】
また、本実施形態では、図３４に示すように、ベッド（26）の両側部に短い突出部（120）を形成し、この片側の突出部（120）の上面に３つの吹出口（45）を形成し、他の片側の突出部（120）の上面に３つの吸込口（54）を形成してもよい。また、本実施形態では、図３４斜線部分に示すように、ベッド（26）における片側の突出部（120）の内側側面に３つの吹出口（45）を形成し、他の片側の突出部（120）の内側側面に３つの吸込口（54）を形成してもよい。その際、上記外気を取り入れる空気口（28）は、ベッド（26）の何れの側面に形成してもよい。
【０１２５】
また、空調系統（30）は、実施形態１の図２及び実施形態２の図１３とほぼ同様であり、図３５は、図２に対応し、１つの空調系統（30）で構成されたものである。但し、図２の分岐ダクト（43）は形成されていない。また、図３６は、図１３に対応し、３つの空調系統（30）で構成されたものである。但し、図１３の分岐ダクト（43）は形成されていない。尚、図３５及び図３６において、還気系部（50）には、還気ダンパ（55）が設けられている。
【０１２６】
その他の構成、作用及び効果は、上記実施形態５と同様である。尚、図３３及び図３４は、側壁（23）等を省略している。
【０１２７】
【発明の実施の形態１１】
次に、本発明の実施形態１１を図面に基づいて詳細に説明する。
【０１２８】
図３７及び図３９に示すように、本実施形態の空気調和装置（100）は、実施形態１０の吸込口（54）に代えて、排気口（101）を形成したものである。
【０１２９】
つまり、本実施形態の空気調和装置（100）は、ベッド（26）に対応して前後に長い直方体の空調本体部（111）と、ベッド（26）に対応して前後に長い直方体の排気本体部（112）とより構成されている。そして、上記空調本体部（111）がベッド（26）の片側に、排気本体部（112）がベッド（26）の他の片側に配置されている。
【０１３０】
上記空調本体部（111）の上面には、３つの吹出口（45）が形成され、外側の側面には、空気口（28）が形成されている。一方、上記排気本体部（112）の上面には、３つの排気口（101）が形成されている。そして、上記吹出口（45）及び排気口（101）は、ベッド（26）の上面Ｌと同一高さに配置されている。
【０１３１】
また、本実施形態では、図３８に示すように、空調本体部（111）及び排気本体部（112）がベッド（26）の上面Ｌより突出する高さに形成してもよい（図３９一点鎖線参照）。そして、この突出した空調本体部（111）及び排気本体部（112）の各上面に３つの吹出口（45）及び３つの排気口（101）を形成してもよい。また、本実施形態では、図３８Ｙ矢符に示すように、ベッド（26）における片側の突出部（120）の内側側面に３つの吹出口（45）を形成し、他の片側の突出部（120）の内側側面に３つの吸込口（54）を形成してもよい。
【０１３２】
また、図３９に示すように、上記空調本体部（111）の内部には、熱交換部材（80）及び空調ファン（41b）等が配置されている。また、上記排気本体部（112）の内部には、排気ファン（102）等が配置され、外側の側面には、排気用の開口（103）が形成されている。
【０１３３】
尚、上記空気口（28）は、空調本体部（111）の前面又は後面（図３７Ｘ矢符及び図３８Ｘ矢符参照）に形成してもよい。
【０１３４】
その他の構成、作用及び効果は、上記実施形態１０と同様である。尚、図３７及び図３８は、側壁（23）等を省略している。
【０１３５】
【発明の実施の形態１２】
次に、本発明の実施形態１２を図面に基づいて詳細に説明する。
【０１３６】
図４０及び図４１に示すように、本実施形態の空気調和装置（100）は、実施形態１１の吹出口（45）及び排気口（101）に代わり、吹出口（45）及び排気口（101）を空調本体部（111）及び排気本体部（112）の内側の側面に形成したものである。
【０１３７】
つまり、本実施形態では、空調本体部（111）及び排気本体部（112）がベッド（26）の上面Ｌより突出する高さに形成されている。そして、この突出した空調本体部（111）のベッド（26）側の側面に３つの吹出口（45）が形成され、空調空気を就寝者（11）に向かって吹き出すことになる。更に、上記空調本体部（111）の上面には、空気口（28）が形成されている。
【０１３８】
尚、上記空気口（28）は、空調本体部（111）の前面又は後面（図４０Ｙ矢符参照）に形成してもよく、また、空調本体部（111）の外側の側面（図４０Ｘ矢符参照）に形成してもよい。その他の構成、作用及び効果は、上記実施形態１１と同様である。尚、図４０は、側壁（23）等を省略している。
【０１３９】
【発明の実施の形態１３】
次に、本発明の実施形態１３を図面に基づいて詳細に説明する。
【０１４０】
図４２及び図４３に示すように、本実施形態の空気調和装置（100）は、ベッド（26）と異なり、布団等の和式の就寝部（26a）を構成するようにしたものである。
【０１４１】
つまり、本実施形態では、実施形態１１のベッド（26）に代わって就寝部（26a）が形成されたものである。この就寝部（26a）の両側部には、空気調和装置（100）の空調本体部（111）及び排気本体部（112）が配置されている。上記空調本体部（111）の上面には、３つの吹出口（45）が形成され、空調本体部（111）の外側の側面には、空気口（28）が形成されている。上記排気本体部（112）の上面には、３つの排気口（101）が形成されている。
【０１４２】
尚、本実施形態は、図４２Ｙ矢符に示すように、空調本体部（111）の内側側面に３つの吹出口（45）を形成し、排気本体部（112）の内側側面に３つの排気口（101）を形成してもよい。
【０１４３】
また、上記空気口（28）は、空調本体部（111）の前面又は後面（図４２Ｘ矢符参照）に形成してもよい。その他の構成、作用及び効果は、上記実施形態１１と同様である。尚、図４２は、就寝空間を仕切るカーテン（2a）等を省略している。
【０１４４】
【発明の実施の形態１４】
次に、本発明の実施形態１４を図面に基づいて詳細に説明する。
【０１４５】
図４４及び図４５に示すように、本実施形態の空気調和装置（100）は、実施形態１３の吹出口（45）及び排気口（101）に代えて、吹出口（45）を空調本体部（111）の内側の側面に、排気口（101）を排気本体部（112）の内側の側面に形成したものである。
【０１４６】
つまり、本実施形態では、空調本体部（111）及び排気本体部（112）が就寝部（26a）の上面Ｌより突出し、この空調本体部（111）の就寝部（26a）側の側面に３つの吹出口（45）が形成される一方、排気本体部（112）の就寝部（26a）側の側面に３つの排気口（101）が形成され、空調空気を就寝者（11）に向かって吹き出すことになる。更に、上記空調本体部（111）の上面には、空気口（28）が形成されている。
【０１４７】
尚、上記空気口（28）は、空調本体部（111）の前面又は後面（図４４Ｙ矢符参照）に形成してもよく、また、空調本体部（111）の外側の側面（図４４Ｘ矢符参照）に形成してもよい。その他の構成、作用及び効果は、上記実施形態１３と同様である。
【０１４８】
【発明の実施の形態１５】
次に、本発明の実施形態１５を図面に基づいて詳細に説明する。
【０１４９】
本実施形態は、図４６に示すように、実施形態１０がベッド（26）の１側部に吹出口（45）を、他側部に吸込口（54）を形成したのに代えて、ベッド（26）の前部（頭側）と後部（脚側）に吹出口（45）を形成したものである。
【０１５０】
つまり、上記ベッド（26）の前部には、上方に突出した前部突出部（121）が形成される一方、上記ベッド（26）の後部には、前部突出部（121）よりやや低い後部突出部（122）が形成されている。そして、上記前部突出部（121）におけるベッド（26）側の内側の内面には、吹出口（45）が形成され、上記後部突出部（122）におけるベッド（26）側の内側の内面には、吹出口（45）が形成されている。
【０１５１】
上記ベッド（26）の１側部には、吸込口（54）が形成されている。該吸込口（54）は、ベッド（26）の上面Ｌと同一の高さに配置されている。また、上記後部突出部（122）における外側の後面には、空気口（28）が形成されている。尚、上記空気口（28）は、ベッド（26）の何れの側面に形成してもよい。
【０１５２】
また、本実施形態では、図４７に示すように、ベッド（26）の１側部に短い側部突出部（123）を形成し、この側部突出部（123）の上面に吸込口（54）を形成してもよい。尚、上記吸込口（54）は、側部突出部（123）の内側側面（斜線部分）にも形成してもよい。
【０１５３】
また、空調系統（30）は、実施形態１の図２及び実施形態２の図１３とほぼ同様であり、図４８は、図２に対応し、１つの空調系統（30）で構成されたものである。但し、図２の分岐ダクト（43）は形成されていない。また、図４９は、図１３に対応し、２つの空調系統（30）で構成されたものである。この場合、上記吸込口（54）を吹出口（45）に対応して２つ形成する必要がある。但し、図１３の分岐ダクト（43）は形成されていない。尚、図４８及び図４９において、還気系部（50）には、還気ダンパ（55）が設けられている。
【０１５４】
その他の構成、作用及び効果は、上記実施形態１０と同様である。尚、図４６及び図４７は、側壁（23）等を省略している。
【０１５５】
【発明の実施の形態１６】
次に、本発明の実施形態１６を図面に基づいて詳細に説明する。
【０１５６】
本実施形態は、図５０及び図５１に示すように、実施形態１５の吸込口（54）を省略したものである。
【０１５７】
つまり、前部突出部（121）がベッド（26）の前部に形成され、後部突出部（122）がベッド（26）の後部に形成されている。
【０１５８】
尚、空気口（28）は、図５１に示すように、前部突出部（121）及び後部突出部（122）の左右の両側面（図５０Ｙ矢符参照）に形成してもよい。
【０１５９】
また、上記空気口（28）は、図５２に示すように、前部突出部（121）の上面及び後部突出部（122）の上面に形成してもよく、また、上記空気口（28）は、前部突出部（121）の前面及び後部突出部（122）の後面（図５０Ｘ矢符参照）に形成してもよい。その他の構成、作用及び効果は、上記実施形態１５と同様である。
【０１６０】
【発明の実施の形態１７】
次に、本発明の実施形態１７を図面に基づいて詳細に説明する。
【０１６１】
図５３及び図５４に示すように、本実施形態の空気調和装置（100）は、実施形態１６のベッド（26）と異なり、布団等の和式の就寝部（26a）を構成するようにしたものである。
【０１６２】
つまり、本実施形態では、実施形態１６のベッド（26）に代わって就寝部（26a）が形成されたものである。この就寝部（26a）の前部（頭側）には、空気調和装置（100）の前部本体部（113）が配置され、就寝部（26a）の後部（脚側）には、空気調和装置（100）の後部本体部（114）が配置されている。そして、上記前部本体部（113）における就寝側の内側の内面には、吹出口（45）が形成され、上記後部本体部（114）における就寝側の内側の内面には、吹出口（45）が形成されている。
【０１６３】
尚、空気口（28）は、図５４に示すように、前部本体部（113）及び後部本体部（114）の左右の両側面（図５３Ｘ矢符参照）に形成してもよい。
【０１６４】
また、上記空気口（28）は、図５５に示すように、前部本体部（113）の上面及び後部本体部（114）の上面に形成してもよく、また、上記空気口（28）は、前部本体部（113）の前面及び後部本体部（114）の両側面（図５３Ｙ矢符参照）に形成してもよい。その他の構成、作用及び効果は、上記実施形態１６と同様である。
【０１６５】
【発明の実施の形態１８】
次に、本発明の実施形態１８を図面に基づいて詳細に説明する。
【０１６６】
本実施形態は、図５６に示すように、実施形態１５がベッド（26）の前部（頭側）と後部（脚側）に吹出口（45）を形成したのに代えて、前部（頭側）と後部（脚側）にそれぞれ吹出口（45）と吸込口（54）とを形成したものである。
【０１６７】
つまり、上記ベッド（26）における前部突出部（121）のベッド（26）側の内側の内面中央部には、吹出口（45）が形成され、上記前部突出部（121）のベッド（26）側の内側の内面両側部には、吸込口（54）が形成されている。一方、上記ベッド（26）における後部突出部（122）のベッド（26）側の内側の内面中央部には、吹出口（45）が形成され、後部突出部（122）のベッド（26）側の内側の内面両側部には、吸込口（54）が形成されている。
【０１６８】
また、上記ベッド（26）の１側部における垂直面には、空気口（28）が形成されている。
【０１６９】
また、本実施形態では、図５７に示すように、上記前部突出部（121）及び後部突出部（122）を必ずしも設ける必要はない。つまり、上記ベッド（26）が直方体に形成され、該ベッド（26）における前端部及び後端部の中央部には、吹出口（45）を形成し、上記ベッド（26）における前端部及び後端部の両側部には、吸込口（54）を形成してもよい。
【０１７０】
また、本実施形態は、図５８に示すように、前部空調系統（30F）と後部空調系統（30R）との２つの系統を備えている。該各空調系統（30F，30R）は、上記実施形態１の図２の空調系統（30）とほぼ同様であり、調和空気を睡眠室（12）に供給する給気系部（40）と、睡眠室（12）の室内空気を吸引する還気系部（50）と、外気を取り入れる外気系部（60）とを備えている。
【０１７１】
上記給気系部（40）は、空調ファン（41b）と熱交換部材（80）とを備えている。そして、上記空調ファン（41b）には、還気系部（50）と外気系部（60）とが接続されている。
【０１７２】
上記還気系部（50）は、吸込口（54）に対応して還気通路（53）を２つに分岐している。そして、上記還気系部（50）は、風量調節用のダンパ（55）を備え、上記外気系部（60）は、風量調節用のダンパ（61）を備えている。
【０１７３】
その他の構成、作用及び効果は、上記実施形態１５と同様である。尚、図５６及び図５７は、側壁（23）等を省略している。
【０１７４】
【発明の実施の形態１９】
次に、本発明の実施形態１９を図面に基づいて詳細に説明する。
【０１７５】
本実施形態は、図５９に示すように、実施形態１８がベッド（26）の前後に１つずつの吹出口（45）と２つずつの吸込口（54）とを形成したのに代えて、前部（頭側）と後部（脚側）にそれぞれ２つずつの吹出口（45）と１つずつの吸込口（54）とを形成したものである。
【０１７６】
つまり、上記ベッド（26）における前部突出部（121）のベッド（26）側の内側の内面両側部には、吹出口（45）が形成され、上記前部突出部（121）のベッド（26）側の内側の内面中央部には、吸込口（54）が形成されている。一方、上記ベッド（26）における後部突出部（122）のベッド（26）側の内側の内面両側部には、吹出口（45）が形成され、後部突出部（122）のベッド（26）側の内側の内面中央部には、吸込口（54）が形成されている。
【０１７７】
また、上記ベッド（26）の１側部における垂直面には、空気口（28）が形成されている。
【０１７８】
また、本実施形態では、図６０に示すように、上記前部突出部（121）及び後部突出部（122）を必ずしも設ける必要はない。つまり、上記ベッド（26）が直方体に形成され、該ベッド（26）における前端部及び後端部の両側部には、吹出口（45）を形成し、上記ベッド（26）における前端部及び後端部の中央部には、吸込口（54）を形成してもよい。
【０１７９】
また、本実施形態は、図６１に示すように、上記実施形態１８の図５８とほぼ同様に、前部空調系統（30F）と後部空調系統（30R）との２つの系統を備えている。該各空調系統（30F，30R）は、調和空気を睡眠室（12）に供給する給気系部（40）と、睡眠室（12）の室内空気を吸引する還気系部（50）と、外気を取り入れる外気系部（60）とを備えている。
【０１８０】
上記給気系部（40）は、空調ファン（41b）と熱交換部材（80）とを備え、吹出口（45）に対応して給気通路（44）を２つに分岐している。そして、上記空調ファン（41b）には、還気系部（50）と外気系部（60）とが接続されている。
【０１８１】
上記還気系部（50）は、風量調節用のダンパ（55）を備え、上記外気系部（60）は、風量調節用のダンパ（61）を備えている。
【０１８２】
その他の構成、作用及び効果は、上記実施形態１８と同様である。尚、図５９及び図６０は、側壁（23）等を省略している。
【０１８３】
【発明の実施の形態２０】
次に、本発明の実施形態２０を図面に基づいて詳細に説明する。
【０１８４】
本実施形態は、図６２に示すように、実施形態１８がベッド（26）の前後に１つずつの吹出口（45）と２つずつの吸込口（54）とを形成したのに代えて、前部（頭側）と後部（脚側）にそれぞれ１つの吹出口（45）と１つの吸込口（54）とを形成したものである。
【０１８５】
つまり、上記ベッド（26）の前端部には、１側部に１つの吹出口（45）が、他側部に１つの吸込口（54）が形成されて頭側流出入部（31）が構成されている。また、上記ベッド（26）の後端部には、１側部に１つの吹出口（45）が、他側部に１つの吸込口（54）が形成されて脚側流出入部（33）が構成されている。そして、上記各吹出口（45）と各吸込口（54）とは、ベッド（26）の上面と同一高さに形成されている。また、前部の吹出口（45）と後部の吹出口（45）とが対角位置に配置され、前部の吸込口（54）と後部の吸込口（54）とが対角位置に配置されている。
【０１８６】
上記ベッド（26）の上面における前端部及び後端部には、吹出口（45）及び吸込口（54）を覆う前部グリル（124）と後部グリル（125）とが設けられている。該前部グリル（124）と後部グリル（125）とは、側面視円弧状に形成され、ベッド（26）の両側に亘って設けられている。
【０１８７】
上記ベッド（26）の１側部における垂直面には、外気を取り入れる１つの空気口（28）と、排熱を放出する１つの排熱口（74）が形成されている。そして、上記空気口（28）は、ベッド（26）の下方の機械室（27）に連通している。つまり、上記空気口（28）は、空気調和装置（100）の本体（110）の下部に形成された機械室（27）に連通している。
【０１８８】
また、本実施形態は、図６３に示すように、前部空調系統（30F）と後部空調系統（30R）との２つの系統を備えている。該各空調系統（30F，30R）は、上記実施形態１の図２の空調系統（30）とほぼ同様であり、調和空気を睡眠室（12）に供給する給気系部（40）と、睡眠室（12）の室内空気を吸引する還気系部（50）と、外気を取り入れる外気系部（60）と、排熱を行う排熱系部（70）とを備えている。
【０１８９】
上記給気系部（40）は、空調ファン（41b）と熱交換部材（80）とを備え、吹出口（45）に連通している。そして、上記空調ファン（41b）には、還気系部（50）と外気系部（60）とが連通している。尚、上記外気系部（60）は、風量調節用のダンパ（61）を備えているが、上記還気系部（50）は、実施形態１８と異なり、風量調節用のダンパ（55）を省略している。
【０１９０】
そこで、上記前部空調系統（30F）及び後部空調系統（30R）の具体的構造を、図６４〜図７１に基づいて説明する。
【０１９１】
上記前部空調系統（30F）及び後部空調系統（30R）は、それぞれ空調ファンユニット（41）を備える一方、上記前部空調系統（30F）及び後部空調系統（30R）は、兼用の１つの排熱ファンユニット（71）を備えている。
【０１９２】
上記空調ファンユニット（41）は、図６６〜図６８に示すように、ほぼ矩形体のケース（41a）を備えている。該ケース（41a）の内部には、図６３に示す空調ファン（41b）が収納されている。上記ケース（41a）の前部には、給気系部（40）のＬ字状のメインダクト（42）が接続され、該メインダクト（42）の垂直部には、熱交換部材（80）の第１フィン群（82）が配置され、該メインダクト（42）の垂直部の上端が吹出口（45）に構成されている。
【０１９３】
上記ケース（42）の上部には、給気チャンバケース（46）が配置されている。該給気チャンバケース（46）は、還気系部（50）のメインダクト（51）を介して吸込口（54）に接続されている。上記給気チャンバケース（46）は、外気系部（60）の外気口（62）が側面に形成されて機械室（27）に開口している。
【０１９４】
上記給気チャンバケース（46）は、空調ファンユニット（41）のケース（42）に連通し、上記給気系部（40）は、還気系部（50）の空気と外気系部（60）の外気とが合流して流入するように構成されている。
【０１９５】
上記排熱ファンユニット（71）は、２つの空調ファンユニット（41）の間に配置され、図６９〜図７１に示すように、ほぼ矩形体のケース（71a）を備えている。該ケース（71a）の内部には、図６３に示す排熱ファン（71b）が収納されている。上記ケース（71a）の前部には、放出ダクト（76）が接続され、上部には、排熱チャンバケース（77）が配置されている。上記放出ダクト（76）は、機械室（27）の側部に配置された放出チャンバケース（78）に接続されている。該放出チャンバケース（78）には、上記排熱口（74）が開口されている。尚、上記排熱口（74）と空気口（28）とは、所定の間隔を存して配置され、排熱口（74）から放出された排熱が空気口（28）に吸い込まれないようにしている。
【０１９６】
上記排熱チャンバケース（77）は、排熱ファンユニット（71）のケース（71a）に連通すると共に、両側に前部空調系統（30F）及び後部空調系統（30R）における排熱系部（70）のメインダクト（72）が接続されている。該メインダクト（72）は、空調ファンユニット（41）のケース（41a）の上方を通り、該メインダクト（72）の端部が給気系部（40）のメインダクト（42）の側方にまで延長されている。そして、該排熱系部（70）のメインダクト（72）の端部には、上記熱交換部材（80）の第２フィン群（83）が配置されている。
【０１９７】
また、上記排熱系部（70）のメインダクト（72）の端部両側は、熱交換部材（80）の排熱を行うために開口されている。また、上記排熱系部（70）のメインダクト（72）には、熱交換部材（80）の第２フィン群（83）の上方に位置して防熱材（79）が設けられている。上記給気系部（40）のメインダクト（42）には、熱交換部材（80）の第１フィン群（82）の周りに位置して防熱材（47）が設けられている。
【０１９８】
また、上記給気系部（40）のメインダクト（42）と放出チャンバケース（78）との間には、ドレン通路（38）が接続されている。該ドレン通路（38）は、熱交換部材（80）の第１フィン群（82）又は第２フィン群（83）より滴下するドレンを放出チャンバケース（78）に導いている。つまり、上記ドレン通路（38）は、冷房時に第１フィン群（82）から滴下するドレン水を受け、暖房時に第２フィン群（83）より滴下するドレンを受けて放出チャンバケース（78）に導いている。該放出チャンバケース（78）には、図示しないが、蒸発用ヒータが配置されている。該放出チャンバケース（78）は、ドレンを蒸発させて処理するように構成されている。
【０１９９】
したがって、前部の吹出口（45）と後部の吹出口（45）から調和空気が吹き出す一方、睡眠室（12）の室内空気が前部の吸込口（54）と後部の吸込口（54）より吸い込まれる。そして、睡眠室（12）における頭側と脚側の室内温度が「頭寒足熱」の温度分布に形成される。
【０２００】
特に、本実施形態では、２つの吹出口（45）と２つの吸込口（54）とを形成するようにしたために、空気の合流箇所や分流箇所を少なくすることができる。この結果、前部空調系統（30F）及び後部空調系統（30R）の簡略化を図ることができるので、装置全体のコストダウンを図ることができる。
【０２０１】
その他の構成、作用及び効果は、上記実施形態１８と同様である。尚、図６２は、側壁（23）等を省略している。
【０２０２】
【発明の実施の形態２１】
次に、本発明の実施形態２１を図面に基づいて詳細に説明する。
【０２０３】
本実施形態は、図７２に示すように、実施形態２０の空気調和装置（100）に暖気抑え板（115）を設けたものである。
【０２０４】
つまり、上記暖気抑え板（115）は、後部グリル（125）の上方に設けられ、ベッド（26）の両側に亘って配置されている。上記暖気抑え板（115）は、ベッド（26）の前後方向の長さが短い平板によって形成されている。そして、上記暖気抑え板（115）は、ベッド（26）の前方に向かって水平又はやや前下がりに配置され、ベッド（26）の後部（脚側）における暖気の上昇を抑制するように構成されている。この結果、本実施形態では、足温効果を向上させることができる。
【０２０５】
尚、上記暖気抑え板（115）は、暖気抑えを行う専用の部材であってもよいが、物置用の棚などを兼用するものであってもよい。また、上記暖気抑え板（115）は、必ずしも平板である必要はなく、網部材にシート等の敷き物を設けたものであってもよく、また、多少の開口が形成されたものであってもよい。
【０２０６】
その他の構成、作用及び効果は、上記実施形態２０と同様である。尚、図７２は、側壁（23）等を省略している。
【０２０７】
【発明の実施の形態２２】
次に、本発明の実施形態２２を図面に基づいて詳細に説明する。
【０２０８】
本実施形態は、図７３〜図８１に示すように、実施形態２０の空気調和装置（100）が１つの排熱ファンユニット（71）を備えたのに代わり、前部空調系統（30F）及び後部空調系統（30R）がそれぞれ別個に排熱ファン（230）を備えるようにしたものである。
【０２０９】
図７３及び図７４は、ベッドを省略した空気調和装置（100）を示し、該空気調和装置（100）は、ベッドの前端部に対応して１側部に１つの吹出口（45）が、他側部に１つの吸込口（54）が形成されて頭側流出入部（31）が構成されている。また、上記空気調和装置（100）は、ベッドの後端部に対応して１側部に１つの吹出口（45）が、他側部に１つの吸込口（54）が形成されて脚側流出入部（33）が構成されている。
【０２１０】
上記前部空調系統（30F）及び後部空調系統（30R）は、それぞれ調和ユニット（200）を備えている。該前部空調系統（30F）の調和ユニット（200）は、ベッドの頭側である前部に配置され、後部空調系統（30R）の調和ユニット（200）は、ベッドの脚側である後部に配置されている。そして、上記両調和ユニット（200）の間が所定の空間になっている。
【０２１１】
上記調和ユニット（200）は、１つのケース（210）に空調ファン（220）と排熱ファン（230）と熱交換部材（80）とが収納されて１つのユニットに構成されている。尚、上記前部空調系統（30F）の調和ユニット（200）及び後部空調系統（30R）の調和ユニット（200）は、ほぼ同一に構成されているので、後部空調系統（30R）の調和ユニット（200）について説明する。また、本実施形態では、調和ユニット（200）のベッド側を前側としている。
【０２１２】
上記ケース（210）は、図７５〜図８１に示すように、横長の矩形体に形成され、ベッドの両側に亘るように形成され、該ケース（210）の内部には、仕切板（240）が設けられている。尚、図７５等の調和ユニット（200）は、脚側に向かって左右を示している。
【０２１３】
上記仕切板（240）は、ケース（210）の上下に亘り、且つケース（210）の左右の両側面に亘って形成されている。該仕切板（240）は、ケース（210）の前後両側面に対して傾斜し且つケース（210）の左側面からケース（210）のほぼ中央部まで延びる傾斜部（241）と、ケース（210）の前後両側面に平行し且つ傾斜部（241）に連続してケース（210）の右側面に延びる並行部（242）とを備えている。
【０２１４】
上記ケース（210）の内部は、仕切板（240）の後側が空調通路（250）に区画され、仕切板（240）の前側が排熱通路（251）に区画されている。そして、上記ケース（210）の上面における後側の両側部には、空調通路（250）に連通して吹出口（45）と吸込口（54）とが形成されている。
【０２１５】
また、上記仕切板（240）における傾斜部（241）の前側と後側とには、排熱通路（251）に配置された排熱ファン（230）と、空調通路（250）に配置された空調ファン（220）とが設けられている。上記空調ファン（220）と排熱ファン（230）とは、遠心ファンであって、それぞれファンケース（221，231）にファン本体（222，232）が収納されて構成されている。そして、上記空調ファン（220）及び排熱ファン（230）は、図示しないが、仕切板（240）の傾斜部（241）に対向してファン吸込口が形成され、外周面の一部にファン吹出口が形成されている。
【０２１６】
上記熱交換部材（80）は、いわゆるペルチェ素子である熱電素子（81）を備えている。該熱電素子（81）は、２つの熱面が加熱面と冷却面となり、各熱面に多数のフィンが設けられて第１フィン群（82）と第２フィン群（83）とが構成されている。
【０２１７】
上記熱電素子（81）は、ケース（210）のほぼ中央部分において、仕切板（240）の並行部（242）を前後に貫通して配置されている。そして、上記第１フィン群（82）が空調通路（250）に位置し、上記第２フィン群（83）は、排熱通路（251）に位置している。
【０２１８】
上記調和ユニット（200）のケース（210）における右側面には、空調用外気取入れ口（260）と排熱口（74）とが形成される一方、上記調和ユニット（200）のケース（210）における左側面には、排熱用外気取入れ口（261）が形成されている。
【０２１９】
上記空調用外気取入れ口（260）は、空調通路（250）の吸込側に開口している。したがって、上記吸込口（54）から流入した空気と外気とが合流して熱電素子（81）の第１フィン群（82）を流れる。
【０２２０】
上記排熱用外気取入れ口（261）は、排熱通路（251）の吸込側であって吹出口（45）側のケース（210）の側面に開口し、上記排熱口（74）は、排熱通路（251）の吹出側であって吸込口（54）側のケース（210）の側面に開口している。そして、上記排熱用外気取入れ口（261）からの外気が熱電素子（81）の第２フィン群（83）を流れ、排熱口（74）より外部に放出される。
【０２２１】
また、上記排熱通路（251）におけるケース（210）の底面には、蒸発用ヒータ（37）が設けられている。該蒸発用ヒータ（37）は、熱電素子（81）から滴下するドレンを蒸発させるものであって、熱電素子（81）の第２フィン群（83）より下流側に配置されている。また、上記空調通路（250）におけるケース（210）の底面には、ドレン受け（35）が設けられている。該ドレン受け（35）は、熱電素子（81）の第１フィン群（82）より上流側に配置され、蒸発用ヒータ（37）に向かって傾斜している。つまり、上記ドレン受け（35）は、ドレンを蒸発用ヒータ（37）に導いている。尚、上記熱電素子（81）は、図示しないが、蒸発用ヒータ（37）及びドレン受け（35）に向かってやや傾斜して配置され、ドレンが蒸発用ヒータ（37）及びドレン受け（35）に流れるように構成されている。
【０２２２】
したがって、上記空調ファン（220）及び排熱ファン（230）を駆動すると、吸込口（54）より就寝空間の空気が空調通路（250）に吸い込まれると共に、空調用外気取入れ口（260）より外気が空調通路（250）に導入される。この空調通路（250）の空気は、例えば、熱電素子（81）の第１フィン群（82）によって冷却され、この冷却空気が空調ファン（220）を通り、吹出口（45）より睡眠室に吹き出される。
【０２２３】
一方、上記排熱用外気取入れ口（261）より外気が排熱通路（251）に導入される。この排熱通路（251）の空気は、排熱ファン（230）を通り、例えば、熱電素子（81）の第２フィン群（83）によって加熱され、排熱口（74）より外部に放出される。
【０２２４】
また、上記熱電素子（81）からでたドレン、例えば、冷房運転時に第１フィン群（82）より滴下したドレンは、ドレン受け（35）を経て蒸発用ヒータ（37）に流れ、蒸発し、排熱通路（251）の空気と共に外部に放出される。
【０２２５】
このように、本実施形態によれば、前部空調系統（30F）及び後部空調系統（30R）の各調和ユニット（200）に排熱ファン（230）をそれぞれ収納するようにしたために、配管系統を簡素化することができる。この結果、装置全体の据付性を向上させることができる。
【０２２６】
尚、上記前部空調系統（30F）の調和ユニット（200）は、後部空調系統（30R）の調和ユニット（200）と左右対称に形成されている。
【０２２７】
また、本実施形態の空気調和装置（100）は、実施形態１の睡眠カプセルに適用してもよいことは勿論であり、前部空調系統（30F）及び後部空調系統（30R）の調和ユニット（200）などを実施形態１の機械室（27）に収納すればよい。その他の構成、作用及び効果は、上記実施形態２０と同様である。また、図７３及び図７４は、側壁（23）等を省略している。
【０２２８】
【発明の実施の形態２３】
次に、本発明の実施形態２３を図面に基づいて詳細に説明する。
【０２２９】
本実施形態は、図８２〜図８４に示すように、実施形態２０の空気調和装置（100）における前部グリル（124）と後部グリル（125）を変更してショートサーキットフローを生じさせるようにしたものである。
【０２３０】
上記前部グリル（124）及び後部グリル（125）には、吹出口（45）と吸込口（54）に対応して吹出用開口（126）と吸込用開口（127）とが形成されている。そして、上記吹出用開口（126）及び吸込用開口（127）には、複数枚の風向羽根（300）が設けられている。
【０２３１】
上記風向羽根（300）は、下端部である基端部にてメインダクト（42）に回動自在にピン連結されている。該風向羽根（300）は、左右に回動し、吹出用開口（126）から吹き出した調和空気が吸込用開口（127）に吸い込まれるようにしている。具体的に、上記吹出口（45）の風向羽根（300）は、吸込口（54）に傾斜し、上記吸込口（54）の風向羽根（300）は、吹出口（45）に傾斜している。
【０２３２】
つまり、上記前部グリル（124）の吹出用開口（126）から吹き出した調和空気は、就寝空間の全体に行き渡ることなく、就寝者の頭部付近のみを通り、吸込用開口（127）に吸い込まれる。一方、上記後部グリル（125）の吹出用開口（126）から吹き出した調和空気は、就寝空間の全体に行き渡ることなく、就寝者の脚部付近のみを通り、吸込用開口（127）に吸い込まれる。
【０２３３】
このように、強制的に局所的なショートサーキットフローが形成されるので、「頭寒足熱」の温度分布が迅速且つ確実に形成されることになる。
【０２３４】
尚、上記メインダクト（42）の内側には、断熱材（34）が設けられている。その他の構成、作用及び効果は、上記実施形態２０と同様である。また、図示しない前部空調系統及び後部空調系統は、上記実施形態２２のように形成してもよいことは勿論である。また、図８２は、側壁（23）等を省略している。
【０２３５】
【発明の実施の形態２４】
次に、本発明の実施形態２４を図面に基づいて詳細に説明する。
【０２３６】
本実施形態は、図８５〜図８７に示すように、実施形態２３の空気調和装置（100）における前部グリル（124）と後部グリル（125）に代えて、実施形態１８における前部突出部（121）と後部突出部（122）を形成してショートサーキットフローを生じさせるようにしたものである。
【０２３７】
上記前部突出部（121）のベッド側の内面及び後部突出部（122）のベッド側の内面には、それぞれ吹出口（45）と吸込口（54）とが形成されている。そして、上記吹出口（45）及び吸込口（54）には、複数枚の風向羽根（300）が設けられている。
【０２３８】
上記風向羽根（300）は、前端部である基端部にて前部突出部（121）及び後部突出部（122）に回動自在にピン連結されている。該風向羽根（300）は、左右に回動し、吹出口（45）から吹き出した調和空気が吸込口（54）に吸い込まれるようにしている。具体的に、上記吹出口（45）の風向羽根（300）は、吸込口（54）に傾斜し、上記吸込口（54）の風向羽根（300）は、吹出口（45）に傾斜している。
【０２３９】
したがって、上記前部突出部（121）の吹出口（45）から吹き出した調和空気は、就寝空間の全体に行き渡ることなく、就寝者の頭部付近のみを通り、吸込口（54）に吸い込まれる。一方、上記後部突出部（122）の吹出口（45）から吹き出した調和空気は、就寝空間の全体に行き渡ることなく、就寝者の脚部付近のみを通り、吸込口（54）に吸い込まれる。
【０２４０】
このように、強制的に局所的なショートサーキットフローが形成されるので、「頭寒足熱」の温度分布が迅速且つ確実に形成されることになる。
【０２４１】
尚、上記前部突出部（121）及び後部突出部（122）の内側には、断熱材（34）が設けられている。その他の構成、作用及び効果は、上記実施形態２３と同様である。また、図８５は、側壁（23）等を省略している。
【０２４２】
【発明の実施の形態２５】
次に、本発明の実施形態２５を図面に基づいて詳細に説明する。
【０２４３】
本実施形態は、図８８〜図９０に示すように、実施形態２４の空気調和装置（100）における前部突出部（121）と後部突出部（122）を左右に分割してショートサーキットフローを生じさせるようにしたものである。
【０２４４】
上記前部突出部（121）は、前部右突出部（310）と前部左突出部（311）とに分離され、該前部右突出部（310）と前部左突出部（311）との間には、所定の間隔が設けられている。また、上記後部突出部（122）は、後部右突出部（312）と後部左突出部（313）とに分離され、該後部右突出部（312）と後部左突出部（313）との間には、所定の間隔が設けられている。
【０２４５】
上記前部右突出部（310）と前部左突出部（311）の対向面には、吹出口（45）と吸込口（54）とが互いに対向するように形成されている。また、上記後部右突出部（312）と後部左突出部（313）の対向面においても、吸込口（54）と吹出口（45）とが互いに対向するように形成されている。そして、上記吹出口（45）及び吸込口（54）には、複数枚の風向羽根（300）が設けられている。
【０２４６】
上記風向羽根（300）は、前端部である基端部にて前部突出部（121）及び後部突出部（122）に回動自在にピン連結されている。該風向羽根（300）は、左右に回動し、吹出口（45）から吹き出した調和空気が吸込口（54）に吸い込まれるようにしている。具体的に、上記吹出口（45）及び吸込口（54）の風向羽根（300）は、ベッドの中央部側にやや吸込口（54）に傾斜している。
【０２４７】
したがって、上記前部突出部（121）の吹出口（45）から吹き出した調和空気は、就寝空間の全体に行き渡ることなく、就寝者の頭部付近のみを通り、吸込口（54）に吸い込まれる。一方、上記後部突出部（122）の吹出口（45）から吹き出した調和空気は、就寝空間の全体に行き渡ることなく、就寝者の脚部付近のみを通り、吸込口（54）に吸い込まれる。
【０２４８】
このように、強制的に局所的なショートサーキットフローが形成されるので、「頭寒足熱」の温度分布が迅速且つ確実に形成されることになる。
【０２４９】
尚、上記前部突出部（121）及び後部突出部（122）の内側には、断熱材（34）が設けられている。その他の構成、作用及び効果は、上記実施形態２４と同様である。また、図８８は、側壁（23）等を省略している。
【０２５０】
【発明の他の実施の形態】
上記各実施形態においては、３つの吹出口（45）と３つの吸込口（54）とを設けて頭側流出入部（31）と中央流出入部（32）と脚側流出入部（33）を形成するようにしている。しかしながら、本発明は、２つの吹出口（45）と２つの吸込口（54）とを設けて頭側流出入部（31）と脚側流出入部（33）を形成するようにしてもよく、また、４つ以上の吹出口（45）と４つ以上の吸込口（54）とを設けて４つ以上の流出入部（31〜33）を形成するようにしてもよい。
【０２５１】
また、上記各実施形態の熱交換部材（80）は、熱電素子（81）を備えて構成したが、冷凍サイクルの利用側熱交換器で構成するようにしてもよい。つまり、カプセル本体（20）には、例えば、圧縮機と四路切換弁と熱源側熱交換器と膨張機構と利用側熱交換器とを備えた蒸気圧縮式冷凍サイクルの冷凍システムを設けるようにしてもよい。この場合、各実施形態の熱交換部材（80）は、利用側熱交換器で構成され、他の圧縮機等が１つの熱源ユニットを構成し、カプセル本体（20）の外部に設置される。そして、この熱源ユニットと利用側熱交換器とが冷媒配管によって接続されることになる。
【０２５２】
更に、この冷凍システムを設ける場合、各実施形態の排熱系部（70）や実施形態２２の排熱ファン（230）及び排熱通路（251）を設ける必要はない。
【０２５３】
また、上記各実施形態は、調和空気の温度を制御するようにしたが、風量を制御するようにしてもよく、要するに、調和空気の空調能力を制御するようにしてもよい。
【０２５４】
つまり、３つの吹出口（45）を設ける場合、この３つの吹出口（45）から吹き出る調和空気の温度を全て設定温度とする。そして、例えば、冷房運転時は、中央の吹出口（45）における調和空気を基準風量とし、頭側の吹出口（45）における調和空気の風量を基準風量より多くし、脚側の吹出口（45）における調和空気の風量を基準風量より少なくする。一方、暖房運転時は、中央の吹出口（45）における調和空気を基準風量とし、頭側の吹出口（45）における調和空気の風量を基準風量より少なくし、脚側の吹出口（45）における調和空気の風量を基準風量より多くする。
【０２５５】
また、３つの吹出口（45）から吹き出る調和空気の温度と風量の双方を「頭寒足熱」の温度分布になるように制御するようにしてもよい。
【図面の簡単な説明】
【図１】    本発明の外観構成を示す一部省略斜視図である。
【図２】    実施形態１の空調系統の全体構成を示す概略構成図である。
【図３】    実施形態１の空調系統の一部を示す平面断面図である。
【図４】    実施形態１の空調系統の一部を示す正面図である。
【図５】    図３のＡ−Ａ線における断面図である。
【図６】    図３のＢ−Ｂ線における断面図である。
【図７】    図３のＣ−Ｃ線における断面図である。
【図８】    図３の空調ファンユニット及び排熱ファンユニットを省略した空調系統の一部を示す平面断面図である。
【図９】    図４の空調ファンユニット及び排熱ファンユニットを省略した空調系統の一部を示す正面図である。
【図１０】    図８のＤ−Ｄ線における断面図である。
【図１１】    図８のＥ−Ｅ線における断面図である。
【図１２】    人体の至適温度を示す温度特性図である。
【図１３】    実施形態２の空調系統の全体構成を示す概略構成図である。
【図１４】    実施形態３の外観構成を示す概略構成図である。
【図１５】    実施形態３における空気の流出入部を示す概略構成図である。
【図１６】    実施形態３における室内の温度分布を示す温度特性図である。
【図１７】    実施形態３における吹出し空気温度を示す温度特性図である。
【図１８】    実施形態４の外観構成を示す概略構成図である。
【図１９】    実施形態５の空気調和装置の要部を示す概略構成図である。
【図２０】    実施形態５の空気調和装置の変形例の要部を示す概略構成図である。
【図２１】    実施形態５の空気調和装置の空調系統を示す概略構成図である。
【図２２】    実施形態５の空気調和装置の空調系統の変形例を示す概略構成図である。
【図２３】    実施形態６の空気調和装置の要部を示す概略構成図である。
【図２４】    実施形態６の空気調和装置の高さ方向の構成を示す概略構成図である。
【図２５】    実施形態６における空気調和装置の変形例の要部を示す概略構成図である。
【図２６】    実施形態６における空気調和装置の変形例の高さ方向の構成を示す概略構成図である。
【図２７】    実施形態７の空気調和装置の要部を示す概略構成図である。
【図２８】    実施形態７の空気調和装置の高さ方向の構成を示す概略構成図である。
【図２９】    実施形態８の空気調和装置の要部を示す概略構成図である。
【図３０】    実施形態８の空気調和装置の高さ方向の構成を示す概略構成図である。
【図３１】    実施形態９の空気調和装置の要部を示す概略構成図である。
【図３２】    実施形態９の空気調和装置の高さ方向の構成を示す概略構成図である。
【図３３】    実施形態１０の空気調和装置の要部を示す概略構成図である。
【図３４】    実施形態１０の空気調和装置の変形例の要部を示す概略構成図である。
【図３５】    実施形態１０の空気調和装置の空調系統を示す概略構成図である。
【図３６】    実施形態１０の空気調和装置の空調系統の変形例を示す概略構成図である。
【図３７】    実施形態１１の空気調和装置の要部を示す概略構成図である。
【図３８】    実施形態１１の空気調和装置の変形例の要部を示す概略構成図である。
【図３９】    実施形態１１の空気調和装置の高さ方向の構成を示す概略構成図である。
【図４０】    実施形態１２の空気調和装置の要部を示す概略構成図である。
【図４１】    実施形態１２の空気調和装置の高さ方向の構成を示す概略構成図である。
【図４２】    実施形態１３の空気調和装置の要部を示す概略構成図である。
【図４３】    実施形態１３の空気調和装置の高さ方向の構成を示す概略構成図である。
【図４４】    実施形態１４の空気調和装置の要部を示す概略構成図である。
【図４５】    実施形態１４の空気調和装置の高さ方向の構成を示す概略構成図である。
【図４６】    実施形態１５の空気調和装置の要部を示す概略構成図である。
【図４７】    実施形態１５の空気調和装置の変形例の要部を示す概略構成図である。
【図４８】    実施形態１５の空気調和装置の空調系統を示す概略構成図である。
【図４９】    実施形態１５の空気調和装置の空調系統の変形例を示す概略構成図である。
【図５０】    実施形態１６の空気調和装置の要部を示す概略構成図である。
【図５１】    実施形態１６の空気調和装置の高さ方向の構成を示す概略構成図である。
【図５２】    実施形態１６における空気調和装置の変形例の高さ方向の構成を示す概略構成図である。
【図５３】    実施形態１７の空気調和装置の要部を示す概略構成図である。
【図５４】    実施形態１７の空気調和装置の高さ方向の構成を示す概略構成図である。
【図５５】    実施形態１７における空気調和装置の変形例の高さ方向の構成を示す概略構成図である。
【図５６】    実施形態１８の空気調和装置の要部を示す概略構成図である。
【図５７】    実施形態１８の空気調和装置の変形例の要部を示す概略構成図である。
【図５８】    実施形態１８の空気調和装置の空調系統を示す概略構成図である。
【図５９】    実施形態１９の空気調和装置の要部を示す概略構成図である。
【図６０】    実施形態１９の空気調和装置の変形例の要部を示す概略構成図である。
【図６１】    実施形態１９の空気調和装置の空調系統を示す概略構成図である。
【図６２】    実施形態２０の空気調和装置の要部を示す概略構成図である。
【図６３】    実施形態２０の空気調和装置の空調系統を示す概略構成図である。
【図６４】    実施形態２０の空気調和装置の空調系統を示す平面図である。
【図６５】    実施形態２０の空気調和装置の空調系統を示す正面図である。
【図６６】    実施形態２０の空気調和装置の空調ファンユニットを示す平面図である。
【図６７】    実施形態２０の空気調和装置の空調ファンユニットを示す側面図である。
【図６８】    実施形態２０の空気調和装置の空調ファンユニットを示す背面図である。
【図６９】    実施形態２０の空気調和装置の排熱ファンユニットを示す平面図である。
【図７０】    実施形態２０の空気調和装置の排熱ファンユニットを示す側面図である。
【図７１】    実施形態２０の空気調和装置の排熱ファンユニットを示す背面図である。
【図７２】    実施形態２１の空気調和装置の要部を示す概略構成図である。
【図７３】    実施形態２２の空気調和装置の要部を示す概略平面図である。
【図７４】    実施形態２２の空気調和装置の要部を示す概略側面図である。
【図７５】    実施形態２２の空気調和装置の調和ユニットを示す平面図である。
【図７６】    実施形態２２の空気調和装置の調和ユニットを示す正面図である。
【図７７】    実施形態２２の空気調和装置の調和ユニットを示す背面図である。
【図７８】    実施形態２２の空気調和装置の調和ユニットを示す右側面図である。
【図７９】    実施形態２２の空気調和装置の調和ユニットを示す左側面図である。
【図８０】    実施形態２２の空気調和装置の調和ユニットを正面からの斜視図である。
【図８１】    実施形態２２の空気調和装置の調和ユニットを背面からの斜視図である。
【図８２】    実施形態２３の空気調和装置の要部を示す概略構成図である。
【図８３】    実施形態２３の空気調和装置の吹出及び吸込部分を示す正面図である。
【図８４】    図８３のIV−IV線における断面図である。
【図８５】    実施形態２４の空気調和装置の要部を示す概略構成図である。
【図８６】    実施形態２４の空気調和装置の吹出及び吸込部分を示す正面図である。
【図８７】    図８６のVII−VII線における断面図である。
【図８８】    実施形態２５の空気調和装置の要部を示す概略構成図である。
【図８９】    実施形態２５の空気調和装置の吹出及び吸込部分を示す正面図である。
【図９０】    図８９のX−X線における断面図である。
【符号の説明】
10            睡眠カプセル
11            就寝者
12            睡眠室（就寝空間）
14            コントローラ（空調制御手段）
20            カプセル本体
2a            カーテン
26            睡眠ベッド（就寝部）
26a           就寝部
30            空調系統
31，32，33    流出入部
40            給気系部
44            給気通路
45            吹出口
50            還気系部
54            吸入部
80            熱交換部材
81            熱電素子
100           空気調和装置
200           調和ユニット
【図１】
0004134538.tif 000002
【図２】
0004134538.tif 000003
【図３】
0004134538.tif 000004
【図４】
0004134538.tif 000005
【図５】
0004134538.tif 000006
【図６】
0004134538.tif 000007
【図７】
0004134538.tif 000008
【図８】
0004134538.tif 000009
【図９】
0004134538.tif 000010
【図１０】
0004134538.tif 000011
【図１１】
0004134538.tif 000012
【図１２】
0004134538.tif 000013
【図１３】
0004134538.tif 000014
【図１４】
0004134538.tif 000015
【図１５】
0004134538.tif 000016
【図１６】
0004134538.tif 000017
【図１７】
0004134538.tif 000018
【図１８】
0004134538.tif 000019
【図１９】
0004134538.tif 000020
【図２０】
0004134538.tif 000021
【図２１】
0004134538.tif 000022
【図２２】
0004134538.tif 000023
【図２３】
0004134538.tif 000024
【図２４】
0004134538.tif 000025
【図２５】
0004134538.tif 000026
【図２６】
0004134538.tif 000027
【図２７】
0004134538.tif 000028
【図２８】
0004134538.tif 000029
【図２９】
0004134538.tif 000030
【図３０】
0004134538.tif 000031
【図３１】
0004134538.tif 000032
【図３２】
0004134538.tif 000033
【図３３】
0004134538.tif 000034
【図３４】
0004134538.tif 000035
【図３５】
0004134538.tif 000036
【図３６】
0004134538.tif 000037
【図３７】
0004134538.tif 000038
【図３８】
0004134538.tif 000039
【図３９】
0004134538.tif 000040
【図４０】
0004134538.tif 000041
【図４１】
0004134538.tif 000042
【図４２】
0004134538.tif 000043
【図４３】
0004134538.tif 000044
【図４４】
0004134538.tif 000045
【図４５】
0004134538.tif 000046
【図４６】
0004134538.tif 000047
【図４７】
0004134538.tif 000048
【図４８】
0004134538.tif 000049
【図４９】
0004134538.tif 000050
【図５０】
0004134538.tif 000051
【図５１】
0004134538.tif 000052
【図５２】
0004134538.tif 000053
【図５３】
0004134538.tif 000054
【図５４】
0004134538.tif 000055
【図５５】
0004134538.tif 000056
【図５６】
0004134538.tif 000057
【図５７】
0004134538.tif 000058
【図５８】
0004134538.tif 000059
【図５９】
0004134538.tif 000060
【図６０】
0004134538.tif 000061
【図６１】
0004134538.tif 000062
【図６２】
0004134538.tif 000063
【図６３】
0004134538.tif 000064
【図６４】
0004134538.tif 000065
【図６５】
0004134538.tif 000066
【図６６】
0004134538.tif 000067
【図６７】
0004134538.tif 000068
【図６８】
0004134538.tif 000069
【図６９】
0004134538.tif 000070
【図７０】
0004134538.tif 000071
【図７１】
0004134538.tif 000072
【図７２】
0004134538.tif 000073
【図７３】
0004134538.tif 000074
【図７４】
0004134538.tif 000075
【図７５】
0004134538.tif 000076
【図７６】
0004134538.tif 000077
【図７７】
0004134538.tif 000078
【図７８】
0004134538.tif 000079
【図７９】
0004134538.tif 000080
【図８０】
0004134538.tif 000081
【図８１】
0004134538.tif 000082
【図８２】
0004134538.tif 000083
【図８３】
0004134538.tif 000084
【図８４】
0004134538.tif 000085
【図８５】
0004134538.tif 000086
【図８６】
0004134538.tif 000087
【図８７】
0004134538.tif 000088
【図８８】
0004134538.tif 000089
【図８９】
0004134538.tif 000090
【図９０】
0004134538.tif 000091